(57)【要約】【課題】性能が向上しかつ製造工程を削減しうる電池モジュールを提供する。【解決手段】電池セル本体部から正極端子４および負極端子５が突出する電池セル２の複数個が積層状に配置されて電池セル積層体が構成され、前記電池セル積層体の全電池セル２が正極端子４および負極端子５を用いて直列に接続された電池モジュール１であって、隣り合う２つの電池セル２において、一方の電池セル２の正極端子４と他方の電池セル２の負極端子５が同方向に突出して端子対７が形成され、前記端子対７の正極端子４と負極端子５とが電気絶縁性を有するガイド部材１２によって接触または近接させられた状態で直接接合されている。【選択図】  図２
2019204658.tif 000002
【特許請求の範囲】
【請求項１】
電池セル本体部から正極端子および負極端子が突出する電池セルの複数個が積層状に配置されて電池セル積層体が構成され、前記電池セル積層体の全電池セルが正極端子および負極端子を用いて直列に接続された電池モジュールであって、
隣り合う２つの電池セルにおいて、一方の電池セルの正極端子と他方の電池セルの負極端子が同方向に突出して端子対が形成され、前記端子対の正極端子と負極端子とが電気絶縁性を有するガイド部材によって接触または近接させられた状態で直接接合されている電池モジュール。
【請求項２】
前記ガイド部材が、端子対の両端子を接触または近接させるガイド部を有し、前記ガイド部に端子対の一部を外部に露出させる窓部が設けられ、前記窓部内で両端子が接合されている請求項１記載の電池モジュール。
【請求項３】
前記ガイド部が、前記電池セル側に開口し、電池セルの積層方向の開口幅が電池セル側の端部において端子対の両端子間の間隙よりも大きく底部に向かって小さくなる溝部と、この溝部の底部に連通するスリット状の収容部とを有し、
前記ガイド部の溝部から挿入された端子対の両端子が収容部において接触または近接し、前記収容部に設けられた窓部内において接合されている請求項２記載の電池モジュール。
【請求項４】
前記ガイド部が間隔をおいて配置された１対のガイド部形成部材によって形成され、各ガイド部形成部材が、ガイド部の溝部を形成する第１壁部と収容部を形成する第２壁部とを備えている請求項３記載の電池モジュール。
【請求項５】
前記電池セルが方形の電池セル本体部の対向する２つの辺部の一方の辺部に正極端子が設けられるとともに他方の辺部に負極端子が設けられてなり、複数の前記電池セルが正極端子と負極端子とが交互に並ぶように配置されることによって電池セル積層体の両側にそれぞれ複数の端子対が形成され、
前記電池セル積層体の一方の辺部の全端子対が端子対の数のガイド部を有する一つのガイド部材によって接触または近接させられ、他方の辺部の全端子対が端子対の数のガイド部を有する一つのガイド部材によって接触または近接させられている請求項１〜４のうちのいずれかに記載の電池モジュール。
【請求項６】
前記電池セルが方形の電池セル本体部の１つの辺部に正極端子および負極端子が当該辺部の長手方向に間隔をおいて設けられてなり、複数の前記電池セルが隣り合う電池セルの正極端子と負極端子が交互に並ぶように配置されることによって、電池セル積層体の一方の側に複数の端子対が２列で形成され、
全端子対が端子対の数のガイド部を有する一つのガイド部材によって接触または近接させられている請求項１〜４のうちのいずれかに記載の電池モジュール。
【発明の詳細な説明】
【技術分野】
【０００１】
この発明は、積層状に配置された複数の電池セルからなる電池モジュールに関する。
【背景技術】
【０００２】
たとえばハイブリッド自動車、電気自動車等の電動機駆動用バッテリー装置として、たとえばリチウムイオン二次電池などの各種の二次電池からなる複数個の電池セルを直列に接続して電池モジュールの形態としたものが用いられている。特に、電気自動車においては航続距離の延長のニーズから電池モジュールの大容量化や搭載数の増加が求められるので、複数の電池モジュールが組み合わされて用いられている。
【０００３】
上述した電池モジュールとして、電池セル本体部、導電体箔からなる正極端子および導電体箔からなる負極端子を有する複数の電池セルが積層状に配置されて電池セル積層体が構成され、隣り合う２つの電池セルにおいて、一方の電池セルの正極端子と、他方の電池セルにおける当該正極端子に接続される負極端子とにより１つの端子対が構成されており、前記端子対の両端子が電池セル本体部から同方向に真っ直ぐに突出し、前記端子対の両端子間の全体に、電池セルの積層方向に一定の幅を有する間隙が形成されており、前記端子対の両端子間に導電体製接続部材が配置されるとともに、接続部材を介して当該両端子が電気的に接続されている電池モジュールが知られている（特許文献１参照）。特許文献１には明記されていないが、端子と接続部材とはレーザー溶接法や超音波接合法により金属的に接合されている。
【０００４】
また、上述した電池モジュールとして、電池セル本体部、導電体箔からなる正極端子および導電体箔からなる負極端子を有する複数の電池セルが積層状に配置されて電池セル積層体が構成され、隣り合う２つの電池セルにおいて、一方の電池セルの正極端子と、他方の電池セルにおける当該正極端子に接続される負極端子とにより１つの端子対が構成されており、前記端子対の両端子が電池セル本体部から同方向に突出するとともに両端子が接触するように折り曲げられている電池モジュールが知られている（特許文献２参照）。特許文献２には明記されていないが、端子と接続部材とはレーザー溶接法や超音波接合法により金属的に接合されている。
【先行技術文献】
【特許文献】
【０００５】
【特許文献１】特許第６０５８０３４号公報
【特許文献２】特許第５８８３９４４号公報
【発明の概要】
【発明が解決しようとする課題】
【０００６】
しかしながら、特許文献１記載の電池モジュールの場合、前記端子対の正極端子と負極端子とが別部品の接続部材を介して電気的に接続されているので、正極端子と負極端子とが直接電気的に接続されている場合に比べて電気抵抗が増大し、電池モジュールとしての性能が低下する。
【０００７】
また、特許文献２記載の電池モジュールの場合、正極端子および負極端子に曲げ加工を施す必要があり、製造工程が増加する。
【課題を解決するための手段】
【０００８】
この発明の目的は、上記問題を解消し、性能が向上するとともに製造工程の増加を防止しうる電池モジュールを提供することにある。
【０００９】
本発明は、上記目的を達成するために以下の態様からなる。
【００１０】
1)電池セル本体部から正極端子および負極端子が突出する電池セルの複数個が積層状に配置されて電池セル積層体が構成され、前記電池セル積層体の全電池セルが正極端子および負極端子を用いて直列に接続された電池モジュールであって、
隣り合う２つの電池セルにおいて、一方の電池セルの正極端子と他方の電池セルの負極端子が同方向に突出して端子対が形成され、前記端子対の正極端子と負極端子とが電気絶縁性を有するガイド部材によって接触または近接させられた状態で直接接合されている電池モジュール。
【００１１】
2)前記ガイド部材が、端子対の両端子を接触または近接させるガイド部を有し、前記ガイド部に端子対の一部を外部に露出させる窓部が設けられ、前記窓部内で両端子が接合されている上記1)記載の電池モジュール。
【００１２】
3)前記ガイド部が、前記電池セル側に開口し、電池セルの積層方向の開口幅が電池セル側の端部において端子対の両端子間の間隙よりも大きく底部に向かって小さくなる溝部と、この溝部の底部に連通するスリット状の収容部とを有し、
前記ガイド部の溝部から挿入された端子対の両端子が収容部において接触または近接し、前記収容部に設けられた窓部内において接合されている上記2)記載の電池モジュール。
【００１３】
4)前記ガイド部が間隔をおいて配置された１対のガイド部形成部材によって形成され、各ガイド部形成部材が、ガイド部の溝部を形成する第１壁部と収容部を形成する第２壁部とを備えている上記3)記載の電池モジュール。
【００１４】
5)前記電池セルが方形の電池セル本体部の対向する２つの辺部の一方の辺部に正極端子が設けられるとともに他方の辺部に負極端子が設けられてなり、複数の前記電池セルが正極端子と負極端子とが交互に並ぶように配置されることによって電池セル積層体の両側にそれぞれ複数の端子対が形成され、
前記電池セル積層体の一方の辺部の全端子対が端子対の数のガイド部を有する一つのガイド部材によって接触または近接させられ、他方の辺部の全端子対が端子対の数のガイド部を有する一つのガイド部材によって接触または近接させられている上記1)〜4)のうちのいずれかに記載の電池モジュール。
6)前記電池セルが方形の電池セル本体部の１つの辺部に正極端子および負極端子が当該辺部の長手方向に間隔をおいて設けられてなり、複数の前記電池セルが隣り合う電池セルの正極端子と負極端子が交互に並ぶように配置されることによって、電池セル積層体の一方の側に複数の端子対が２列で形成され、
全端子対が端子対の数のガイド部を有する一つのガイド部材によって接触または近接させられている上記1)〜4)のうちのいずれかに記載の電池モジュール。
【発明の効果】
【００１５】
上記1)〜6)の電池モジュールによれば、電池セル積層体の隣り合う２つの電池セルにおいて、一方の電池セルの正極端子と、他方の電池セルにおける当該正極端子に接続される負極端子とにより１つの端子対が構成されており、前記端子対の両端子が電池セル本体部から同方向に突出しており、前記端子対の正極端子と負極端子とが電気絶縁性を有するガイド部材によって接触または近接させられた状態で直接接合されているので、前記端子対の正極端子と負極端子とが直接電気的に接続されることになる。したがって、特許文献１記載の電池モジュールに比べて抵抗の増大が抑制され、電池モジュールの性能が向上する。
【００１６】
また、端子対の正極端子と負極端子はガイド部材によって接触または近接させられた状態で接合されているので、特許文献２記載の電池モジュールのように、正極端子および負極端子に曲げ加工を施す必要がなく、製造工程の増加を防止することができる。
【００１７】
上記2)の電池モジュールによれば、ガイド部材のガイド部によって接触または近接させた正極端子と負極端子が窓部において露出しているので、正極端子と負極端子との電気的接続を比較的簡単に行うことができる。
【００１８】
上記3)の電池モジュールによれば、ガイド部の溝部によって正極端子と負極端子が互いに近づくように曲げられ、収容部において両端子が接触または近接した状態で保持される。従って、端子対の正極端子と負極端子とを簡単かつ確実に接触または近接させることができる。また、前記収容部に窓部が設けられているので、この窓部において接触または近接させた正極端子と負極端子が接合される。
【００１９】
上記4）の電池モジュールによれば、傾斜壁と垂直壁を有するガイド部形成部材によって溝部および収容部を有するガイド部材を形成できる。
【００２０】
上記5)および6)の電池モジュールによれば、ガイド部材の使用数を、特許文献１記載の接続部材の数に比べて大幅に低減することができ、部品点数の削減が可能になる。
【図面の簡単な説明】
【００２１】
【図１】この発明による電池モジュールの全体構成を示す斜視図である。
【図２】図１の電池モジュールの分解斜視図である。
【図３】図１の電池モジュールを示す一部を省略した正面図である。
【図４】図１の電池モジュールに用いた電池セル積層体の斜視図である。
【図５】保持フレームで保持した電池セルの斜視図である。
【図６】図２の一部をVI−VI線で切断した断面図である。
【図７】上側ガイド部材の取付方法を示す要部正面図である。
【図８】図４の電池セル積層体と、電池セルの接続に用いる上側ガイド部材の変形例を示す斜視図である。
【図９】図８の分解斜視図である。
【図１０】電池セルの変形例とこれらの電池セルの接続に用いるガイド部材を示す分解斜視図である。
【図１１】図１０の要部正面図である。
【発明を実施するための形態】
【００２２】
以下に、この発明の実施形態を図面を参照して説明する。
【００２３】
以下の説明において、図３の上下、左右を上下、左右といい、図３の紙面表側を前、これと反対側を後というものとする。また、全図面を通じて同一物および同一部分には同一符号を付す。
【００２４】
図１および図２はこの発明による電池モジュールの全体構成を示し、図３〜図７は要部の構成を示している。
【００２５】
図１〜図５に示すように、電池モジュール(1)は、複数の扁平状角形電池セル(2)、たとえば複数の扁平状角形リチウムイオン二次電池セルが積層状に配置されて電池セル積層体(6)が構成され、電池セル積層体(6)の全電池セル(2)が直列に接続されたものである。図示例の電池積層体(6)は１２個の電池セル(2)が積層されている。
（電池セル積層体）
前記電池セル(2)はラミネート型電池セルであって、図示は省略したが、電池セル本体部(3)内にシート状正極、シート状負極、および正極と負極を仕切るシート状セパレータが交互に積層された電極群を有し、当該電極群が、周縁部が溶着された２枚のラミネートフィルム間に密封されたものである。前記正極端子(4)は電極群の全正極に電気的に接続され、電池セル本体部(3)の一つの辺部から引き出されて電池セル本体部(3)から突出している。前記負極端子(5)は電極群の全負極に電気的に接続され、電池セル本体部(3)の正極端子(4)が引き出された辺部に対向する辺部から引き出されて電池セル本体部(3)から突出している。即ち、前記正極端子(4)と負極端子(5)は電池セル本体部(3)の対向辺部から突出している。前記正極端子(4)にはたとえばアルミニウム箔（アルミニウム合金箔を含む）が用いられ、前記負極端子(5)にはたとえば銅箔（銅合金箔を含む）が用いられる。各電池セル(2)は、図５に示すように、保持フレーム(8)に保持されている。
【００２６】
前記電池セル積層体(6)は、図１、２に示すように、保持フレーム(8)に保持された電池セル(2)によって構成されている。なお、図３，４、７は保持フレーム(8)の図示を省略し、電池セル(2)のみを図示している。
【００２７】
前記電池セル積層体(6)は、電池セル(2)の正極端子(4)と負極端子(5)が上下方向に突出しかつ上下が交互に逆になるように左右方向に並べられて積層され、さらに積層方向の両側から挟着フレーム(9)で挟み付けられ、両挟着フレーム(9)および全保持フレーム(8)を貫通するボルト、ナットなどの締結具(11)によって固定されている。かかる配置により、電池セル積層体(6)の上面において、左から右へ正極端子(4)、負極端子(5)、正極端子(4)…の順で交互に並び、下面において、左から右へ負極端子(5)、正極端子(4)、負極端子(5)…の順で交互に並んでいる。そして、上面においては、左端の電池セル(2)の正極端子(4)と左から２番目の電池セル(2)（以下「電池セル(2)」を省略する）の負極端子(5)が端子対(7)を形成し、以下順次右端の負極端子(5)まで６対の端子対(7)が形成されている。一方、下面においては、左から２番目の正極端子(4)と左から３番目の負極端子(5)が端子対(7)を形成し、以下順次左から１１番目（右から２番目）の負極端子(5)まで５対の端子対(7)が形成されている。従って、上面の端子対(7)と下面の端子対(7)は左右方向において半ピッチずれている。また、下面の左端の負極端子(5)および右端の正極端子(4)は端子対を形成せずに電池モジュール(1)の正極端子および負極端子として用いられる。
（電池セルの接続）
図３に示すようい、前記電池セル積層体(6)の上面の６対の端子対(7)は上側ガイド部材(12)を用いて正極端子(4)と負極端子(5)が接触または近接させられた状態で接合され、下面の５対の端子対(7)は下側ガイド部材(40)を用いて正極端子(4)と負極端子(5)が接触または近接させたられた状態で接続され、１２個の電池セル(2)が直列に接続されている。前記上側ガイド部材(12)および下側ガイド部材(40)は電気絶縁性材料からなり、合成樹脂製ガイド部材が好適に用いられる。また、前記端子対(7)はバスバー等の接続部材を用いることなく、正極端子(4)と負極端子(5)が直接接合されている。
【００２８】
図２および図６に示すように、前記上側ガイド部材(12)は、幅方向を上下方向に向けた４つの帯板状枠部材(13a)からなる方形の枠(13)と、前記枠(13)内に固定された２種複数個のガイド部形成材(15d)(15e)とを備え、これらのガイド部形成部材(15d)(15e)によって上面の端子対(7)の数に対応する６つガイド部(14)が形成されている。
【００２９】
一方のガイド部形成部材15dは、右が高く左が低くなるように傾斜した傾斜壁(15a)（第１壁部）と、この傾斜壁(15a)の上端に連なって上方に真っ直ぐに延びて電池セル本体部(3)の両側面に平行な垂直壁(15b)（第２壁部）とよりなる。他方のガイド部形成部材15eは、左が高く右が低くなるように傾斜した傾斜壁(15c)（第１壁部）と、この傾斜壁(15c)の上端に連なって上方に真っ直ぐに延びて電池セル本体部(3)の両側面に平行な垂直壁(15b)（第２壁部）とよりなる。２種類のガイド部形成部材(15d)(15e)は、傾斜方向の異なる傾斜壁(15a)(15c)が上方に向かって接近するように向かうように交互に並べて配置され、長手方向の両端が前後の枠部材(13a)に固定されている。また、左右端のガイド部形成部材(15d)(15e)を除いて隣り合うガイド部形成部材(15d)の傾斜壁(15a)とガイド部形成部材(15e)の傾斜壁(15c)が下端で結合して一体物となり断面Ｕ字形を呈している。
【００３０】
２種類のガイド部形成部材(15d)(15e)が上記の態様で配置されることによって、６つのガイド部(14)が６対の端子対(7)と同じピッチで左右方向に並んで形成されている。前記ガイド部(14)は溝部(16)と収容部(17）を有している。即ち、傾斜方向の異なる傾斜壁(15a)(15c)が向かい合うことによって、電池セル(2)側（図面下側）に開口し、電池セル(2)の積層方向（左右方向）の開口幅が底部に向かって小さくなる、換言すると電池セル2から遠ざかるに従って小さくなる溝部(16)が成され、これらの傾斜壁(15a)(15c)に連なる垂直壁(15b)が対向することによって、溝部(16)の底部に連通するスリット状の収容部(17)が形成されている。また、対向する垂直壁(15b)の長手方向（前後方向）の中央部を角形に切り欠くことによって、収容部(17)に左右方向に開放された窓部(19)が形成されている。また、前記ガイド前記溝部(16)の電池セル(2)側の端部における開口幅Ｗ１は、端子対(7)の正極端子(4)と負極端子(5)との間の間隔Ｗ２よりも大きくなるように設定されている。なお、前記間隔Ｗ２は、図７に示した正極端子(4)と負極端子(5)を近接させる前の間隔である。
【００３１】
図示例の上側ガイド部材(12)は端子対(7)の数に対応する６つのガイド部(14)を有しているが、上記形状のガイド部形成部材(15d)(15e)の数を増減することによって任意数のガイド部(14)を形成できる。
【００３２】
前記上側ガイド部材(12)の電池セル積層体(6)への取付けおよび端子対(7)の接合は以下にようにして行われる。
【００３３】
図７に示すように、上側ガイド部材(12)を、電池セル積層体(6)の各端子対(7)の正極端子(4)および負極端子(5)がガイド部(14)の溝部(16)の開口範囲内に位置するように配置する。
【００３４】
ついで、上側ガイド部材(12)と電池セル積層体(6)を相対的に接近させ、枠(13)が電池セル積層体(6)の全保持フレーム(8)上に跨るように載せる。すると、各端子対(7)の正極端子(4)および負極端子(5)がガイド部(14)の溝部(16)入り込み、溝部(16)の傾斜壁(15a)(15c)に案内されて両端子(4)(5)が互いに近づく方向に曲げられていき、正極端子(4)および負極端子(5)の先端部分が収容部(17)に挿入されて両端子(4)(5)が接触状態または近接状態で保持される（図３）。前記収容部(17)に挿入された端子対(7)の正極端子(4)および負極端子(5)は窓部(19)において露出している（図１）。前記溝部(16)の開口幅Ｗ１は正極端子(4)と負極端子(5)の間隔Ｗ２よりも大きいので正極端子(4)および負極端子(5)は容易に溝部(16)に入り込む。また、正極端子(4)および負極端子(5)は傾斜壁(15a)(15c)によって円滑に曲げられていくので接触または近接させるための曲げ加工を必要としない。また、前記端子部(7)は収容部(17)に挿入されることによって補強され、かつ隣りの端子対(7)との間隔が保持されるので、端子対(7)の不本意な変形を防止できる。また、前記各端子対(7)は電池セル本体(3)近くまで電気絶縁性の上側ガイド部材(12)に覆われるので、短絡が防がれる。
【００３５】
前記窓部(19)において露出している正極端子(4)と負極端子(5)を直接接合する。接合方法は、レーザー溶接法、超音波接合法などにより行う。収容部(17)内の正極端子(4)と負極端子(5)は接触または近接しているので容易に接合でき、かつ接続部材を用いないので抵抗の増大を抑制できる。
【００３６】
下側ガイド部材(40)は、上側ガイド部材(12)と上下逆向きの構成であり、枠(13)内に上下を逆転させた姿勢でガイド部形成部材(15d)(15e)が固定されている。また、ガイド部(14)の数は端子対(7)に対応する５つであり、ガイド部形成部材(15d)(15e)の数が上側ガイド部材(12)よりも少ない。従って、ガイド部(14)は、溝部(16)が図面の上側の電池セル(2)側に開口し、収容部(17)が溝部(16)の底部に連通して下方に延びている。また、前記収容部(17)には上側ガイド部材(12)と同じく、垂直壁(15b)を切り欠くことによって窓部(19)が形成されている。但し、上面の端子対(7)と下面の端子対(7)は左右方向に半ピッチずれているので、上下のガイド部材(12)(40)はガイド部(14)の位置が半ピッチずれている。
【００３７】
前記下側ガイド部材(40)の取付け方法および端子対(7)の正極端子(4)と負極端子(5)の接合は上側ガイド部材(12)に準じる。
【００３８】
以上より電池セル積層体(6)の全電池セル(2)が直列に接続される。
【００３９】
前記上側ガイド部材(12)および下側ガイド部材(40)は、枠(13)内に複数のガイド部形成部材(15d)(15e)を固定することによって所要数のガイド部(14)が端子対(7)に対応する位置に形成されている。このようなガイド部材(12)(40)を用いることによって複数の端子対(7)を一括して接触または近接させることができるので、部品点数および接続作業を大幅に削減できる。なお、本発明は端子対ごとに別のガイド部材を使用した態様を除外するものではない。
（ガイド部材の変形例）
図８および図９に、前記電池セル積層体(6)に用いる上側ガイド部材の変形例を示す。
【００４０】
上側ガイド部材(20)は一つの収容部(17)に２つの窓部(19)が形成されており、窓部(19)の数以外は図６等の上側ガイド部材(12)と同じ構造である。前記上側ガイド部材(20)により各端子対(7)の正極端子(4)と負極端子(5)が２箇所で接合され、接合面積が大きくなることで接合強度を高めることができる。
【００４１】
図８および図９は上側ガイド部材(20)のみを記載しているが、下面の端子対(7)に対しても同タイプのガイド部材を適用できる。
（電池セルおよびガイド部材の変形例）
図１０および図１１は、他の形状の電池セル(30)と、この電池セル(30)を１２個積層した電池セル積層体(8)に用いるガイド部材(50)を示している。
【００４２】
前記電池セル(30)は、方形の電池セル本体(3)の１つの辺部に正極端子(4)および負極端子(5)が設けられている。図示例では、電池セル(30の上辺部に正極端子(4)と負極端子(5)が前後方向に間隔をおいて設けられている。
【００４３】
前記電池セル積層体(8)は、電池セル(30)の正極端子(4)と負極端子(5)が前後で交互に逆になるように左右方向に並べられて積層されている。かかる配置により、電池セル積層体(8)の上面において端子が前後２列に整列し、前列において左から右へ負極端子(5)、正極端子(4)、負極端子(5)…の順に交互に並び、後列において左から右へ正極端子(4)、負極端子(5)、正極端子(4)…の順に交互に並んでいる。そして、前列においては、左端の電池セル(30)の負極端子(5)と左から２番目の電池セル(30（以下「電池セル(30)」を省略する）の正極端子(4)により端子対(7)が形成され、以下順次左から１２番目（右端）の正極端子(4)まで６対の端子対(7)が形成されている。一方、後列においては、左から２番目の負極端子(5)と左から３番目の正極端子(4)により端子対(7)が形成され、以下順次左から１１番目の正極端子(4)まで５対の端子対(7)が形成されている。また、後列の左端の正極端子(4)および右端の負極端子(5)は端子対(7)を形成せずに電池セル積層体(8)の電極端子として用いられる。従って、電池セル積層体(8)の上面において、左から奇数番目の端子対(7)は前列に形成され、偶数番目の端子対(7)は後列に形成され、合計１１対の端子対(7)が前列と後列で半ピッチずれてジグザグ状に並んでいる。なお、図１１においては、説明の便宜上、前列と後列の正極端子(4)および負極端子(5)を左右に僅かにずらして表示し、かつ後列の正極端子(4)および負極端子(5)を前列の正極端子(4)および負極端子(5)をよりも低く表示している。
【００４４】
前記ガイド部材(50)は、方形の枠内（図示省略）に前列端子対用のガイド部形成部材群(51)および後列端子対用のガイド部形成部材群(52)が前後方向２列で固定されている。これらのガイド部形成部材群(51)(52)は傾斜壁(55a)(55c)の傾斜方向が異なる２種類複数個のガイド部形成部材(53)(54)からなり、前列のガイド部形成用部材群(51)と後列のガイド部形成用部材群(52)はガイド部形成部材(53)(54)の位置が左右方向で半ピッチずれている。前記ガイド部形成部材(53)(54)の前後方向の長さは図２、６等のガイド部形成部材(55d)(55e)の１／２であるが、２種類のガイド部形成部材(53)(54)を交互に配置して電池セル(30)側に開口し開口幅が底部に向かって小さくなる溝部(56)と、垂直壁(55b)により溝部(56)の底部に連通するスリット状の収容部(57)を有するガイド部(58)を形成する構造は図６等に示した上側ガイド部材(12)と共通である。２列のガイド部形成用部材群(51)(52)は、前列と後列でガイド部形成部材(53)(54)の位置が半ピッチずれているので、前列と後列のガイド部(58)も左右方向において半ピッチずれており、左から奇数番目のガイド部(58)は前列に形成され、偶数番目のガイド部(58)は後列に形成され、合計１１個のガイド部(58)が前列と後列で半ピッチずれてジグザグ状に並んでいる。そして、図１１に示すように、前列および後列の全ての端子対(7)の中心と前列または後列のガイド部(58)の中心が一致している。また、各ガイド部(58)の収容部(57)には垂直壁(55b)を切り欠いて形成された窓部(19)が設けられていること、および溝部(56)の開口幅Ｗ１が端子対(7)の正極端子(4)と負極端子(5)の間隔Ｗ２よりも大きくなるように設定されていることも図２、６等のガイド部(14)と共通である。
【００４５】
前記ガイド部材(50)の取付方法および端子対(7)の正極端子(4)と負極端子(5)の接合は上述の上側ガイド部材(12)に準じる。１１対の端子対(7)を接合することにより１２個の電池セル(30)が直列に接合される。
【産業上の利用可能性】
【００４６】
この発明による電池モジュールは、ハイブリッド自動車、電気自動車等の電動機駆動用バッテリー装置に好適に用いられる。
【符号の説明】
【００４７】
(1)：電池モジュール
(2)(30)：電池セル
(3)：電池セル本体部
(4)：正極端子
(5)：負極端子
(6)(8)：電池セル積層体
(7)：端子対
(12)(20)：上側ガイド部材（ガイド部材）
(40)：下側ガイド部材（ガイド部材）
(14)(58)：ガイド部
(15d)(15e)(53)(54)：ガイド部形成部材
(15a)(15c)(55a)(55c)：傾斜壁（第１壁部）
(15b)(55b)：垂直壁（第２壁部）
(16)(56)：溝部
(17)(57)：収容部
(19)：窓部
(50)：ガイド部材
Ｗ１：溝部の開口幅
Ｗ２：端子対の正極端子と負極端子の間隔
【図１】
2019204658.tif 000003
【図２】
2019204658.tif 000004
【図３】
2019204658.tif 000005
【図４】
2019204658.tif 000006
【図５】
2019204658.tif 000007
【図６】
2019204658.tif 000008
【図７】
2019204658.tif 000009
【図８】
2019204658.tif 000010
【図９】
2019204658.tif 000011
【図１０】
2019204658.tif 000012
【図１１】
2019204658.tif 000013